(57)【要約】      （修正有）【課題】操作が簡単で自然なパーマを完成させることができるヘアスタイリング装置を提供する。【解決手段】ヘアスタイリング装置は、ヒンジ構造により接続され、且つ相対的に開閉可能な上部グリップ１と下部グリップ２とを備えている。両グリップには、発熱プレートである上クランプ面５と、発熱プレートである下クランプ面６とが、対向するように設けられている。上クランプ面５は、上部グリップ１に対して、上ねじれ角を有し、下クランプ面６は、下部グリップ２に対して、下ねじれ角を有し、上ねじれ角と下ねじれ角とは同じである。このように発熱プレートであるクランプ面がねじれ角を有しているので、一定の角度のあるねじれ形状を実現することができ、爽やかなレイヤースタイルを得られ、且つ、パーマの操作が便利であり、大きな動作を変更しなくても自然なパーマを完成させることができる。【選択図】図１
2020103888.tif 000002
【特許請求の範囲】
【請求項１】
ねじれヘアスタイリング装置であって、
上部グリップと下部グリップとを備え、
前記上部グリップと前記下部グリップとが、ヒンジ構造により接続され、且つ開閉可能であり、
前記上部グリップは、上部クランプに接続され、前記下部グリップは、下部クランプに接続され、前記上部クランプには、上クランプ面が設けられ、前記下部クランプには、下クランプ面が設けられ、上クランプ面と下クランプ面とは、上下に対応するように設置され、
前記上クランプ面は、上部グリップに対して、上ねじれ角を有し、前記下クランプ面は、下部グリップに対して、下ねじれ角を有し、前記上ねじれ角と下ねじれ角とは同じである、ことを特徴とするねじれヘアスタイリング装置。
【請求項２】
前記上部クランプは、上部グリップに対して、前記上ねじれ角を有し、前記下部クランプは、下部グリップに対して、前記下ねじれ角を有する、ことを特徴とする請求項１に記載のねじれヘアスタイリング装置。
【請求項３】
前記上ねじれ角と下ねじれ角との角度は、６０〜１２０度である、ことを特徴とする請求項１に記載のねじれヘアスタイリング装置。
【請求項４】
前記上部クランプと上クランプ面との間に上断熱層が設けられ、前記下部クランプと下クランプ面との間に下断熱層が設けられる、ことを特徴とする請求項１に記載のねじれヘアスタイリング装置。
【請求項５】
前記上クランプ面の外縁部に、上歯部が設けられ、前記下クランプ面の外縁部に下歯部が設けられる、ことを特徴とする請求項１に記載のねじれヘアスタイリング装置。
【請求項６】
前記上部クランプまたは下部クランプの端部に、補助グリップが設けられる、ことを特徴とする請求項１に記載のねじれヘアスタイリング装置。
【請求項７】
上クランプ面と下クランプ面との両側縁部に、櫛溝が設けられる、ことを特徴とする請求項１に記載のねじれヘアスタイリング装置。
【請求項８】
前記上クランプ面における櫛溝のノッチと、前記下クランプ面における櫛溝のノッチとは、互いに対応またはずれるように位置される、請求項７に記載のねじれヘアスタイリング装置。
【請求項９】
前記上部クランプの内部に加湿装置が設けられ、上部クランプにスチーム穴が設けられ、スチーム穴は、上部クランプの上表面、上部クランプの内部、上クランプ面の下表面を貫通する、ことを特徴とする請求項１に記載のねじれヘアスタイリング装置。
【発明の詳細な説明】
【技術分野】
【０００１】
本発明は、ヘアスタイリング装置に関し、特に、ねじれヘアスタイリング装置。
【背景技術】
【０００２】
ストレートヘアアイロンやカーラーなどのヘアスタイリング装置は、主に髪の形を整えるために使用されている。既存のストレートヘアアイロンは、ヒンジによって連結された上部グリップと下部グリップとを備え、上部グリップには上部クランプが設けられ、下部グリップには下部クランプが設けられている。また、上部クランプに上クランプ面が設けられ、下部クランプに下クランプ面が設けられている。上クランプ面と下クランプ面とが、対になって髪へのクランプ面を形成する。従来の上クランプ面と下クランプ面とは、平らなクランプ面構造になっているのが一般的である。
【０００３】
中国実用新案登録ＣＮ２０６１３７４６２Ｕには、上クランププレートと、上クランププレートとヒンジ接続された下クランププレートとを備えた、ねじれ構造を有するストレートヘアアイロンを開示しており、前記上クランププレートには、上部グリップと、上部グリップと接続された上部クランプとを有し、上部クランプは、上部グリップに対して、ねじれ角αを形成している。前記下クランププレートは、上部グリップに対応する下部グリップを有し、前記下部グリップは、上部クランプに対応する下部クランプに接続されている。さらに、上クランププレートまたは下クランププレートに設けられたＰＣＢ制御ボートを備える。当該ストレートヘアアイロンが使用中ヘッドへの支持効果を有し、ヘッドの横方向への引張力を回避することができ、使用者にとっては、使い心地が気持ち良い。このストレートヘアアイロンは、使用習慣にそった構造設計を採用しているため、操作および省力化に優れる。しかしながら、上部クランプと下部クランプとがグリップに対していずれもねじれ角を有し、使用者が操作しやすくなっているが、発熱プレートが平らな構造であるので、実際にヘアスタイリング効果に役を立たない。
【０００４】
ところで、中国実用新案登録ＣＮ２０１８０６１２０Ｕには、ヘアスタイリング装置の技術分野における新型ヘアアイロンを開示している。当該実用新案の前記新型ヘアアイロンは、グリップ、電気ヒーター、クリップアーム、クリッププレートを備えている。前記電気ヒーターは、クリップアーム内にも設けられ、クリッププレートがクリップアームの内側面に設けられ、前記クリッププレートが電気ヒーターに固定されるか、又はクリッププレートがガイドレールを介して電気ヒーターに取り付けられている。前記クリッププレートの他面は、波形状であり、クリップアームの上下２つのクリッププレートが互いに係合している。当該実用新案の前記新型ヘアアイロンは、従来の平面またはＶ字構造の面のようなクリッププレートの構造を波形状の湾曲面に変更したため、異なるヘアスタイルを得ることができる。また、当該実用新案の前記新型ヘアアイロンは、クリップアームの角度が変更可能であり、使用が便利である。しかしながら、クランプ面は、従来の平面またはＶ字構造の面を同じ高さのある波形状の湾曲面に変更しただけでは、標準の波形状のヘアスタイルしかできず、爽やかなレイヤースタイルを得られない。したがって、ヘアのスタイルを変更するために、ヘアスタイリング装置の角度を変更しなければならないので、手の動きが大きく、操作が不便である。
【発明の概要】
【発明が解決しようとする課題】
【０００５】
本発明は、このような事情に鑑みてなされたものであり、上記の課題を解決できるねじれヘアスタイリング装置を提供することである。
【０００６】
上記の課題を解決するために、本発明は、ねじれヘアスタイリング装置であって、上部グリップと下部グリップとを備え、前記上部グリップと前記下部グリップとが、ヒンジ構造により接続され、且つ開閉可能であり、前記上部グリップは、上部クランプに接続され、前記下部グリップは、下部クランプに接続され、前記上部クランプには、上クランプ面が設けられ、前記下部クランプには、下クランプ面が設けられ、上クランプ面と下クランプ面とは、上下に対応するように設置され、前記上クランプ面は、上部グリップに対して、上ねじれ角を有し、前記下クランプ面は、下部グリップに対して、下ねじれ角を有し、前記上ねじれ角と下ねじれ角とは同じである、ことを特徴とするねじれヘアスタイリング装置を提供する。
【０００７】
上述した技術内容において、前記上部クランプは、上部グリップに対して、前記上ねじれ角を有し、前記下部クランプは、下部グリップに対して、前記下ねじれ角を有する。
【０００８】
上述した技術内容において、前記上ねじれ角と下ねじれ角との角度は、６０〜１２０度である。
【０００９】
上述した技術内容において、前記上部クランプと上クランプ面との間に上断熱層が設けられ、前記下部クランプと下クランプ面との間に下断熱層が設けられる。
【００１０】
上述した技術内容において、前記上クランプ面の外縁部に、上歯部が設けられ、前記下クランプ面の外縁部に下歯部が設けられる。
【００１１】
上述した技術内容において、前記上部クランプまたは下部クランプの端部に、補助グリップが設けられる。
【００１２】
上述した技術内容において、上クランプ面と下クランプ面との両側縁部に、櫛溝が設けられる。
【００１３】
上述した技術内容において、前記上クランプ面における櫛溝のノッチと、前記下クランプ面における櫛溝のノッチとは、互いに対応またはずれるように位置される。
【００１４】
上述した技術内容において、前記上部クランプの内部に加湿装置が設けられ、上部クランプにスチーム穴が設けられ、スチーム穴は、上部クランプの上表面、上部クランプの内部、上クランプ面の下表面を貫通する。
【００１５】
本発明は以下の効果を有する。発熱プレートはねじれ角を有し、手を回すことなくても一定の角度のあるねじれ形状を実現することができ、爽やかなレイヤースタイルを得られ、且つ、パーマの操作が便利であり、大きな動作を変更しなくても自然なパーマを完成させることができる。
【図面の簡単な説明】
【００１６】
【図１】本発明の一つの実施形態の構造を示す概念図である。
【図２】本発明のねじれ角を示す概念図である。
【図３】本発明のねじれ角を示す他の概念図である。
【図４】本発明の第２の実施形態の構造を示す概念図である。
【図５】本発明の第３の実施形態の構造を示す概念図である。
【図６】本発明の第３の実施形態における上部クランプの内部構造を示す概念図である。
【００１７】
上記の図においては、各構成に以下の符号を使用している。
【００１８】
１、上部グリップ；２、下部グリップ；３、上部クランプ；４、下部クランプ；５、上クランプ面；６、下クランプ面；７、補助グリップ；８、上歯部；９、下歯部；１０、上ねじれ角；１１、下ねじれ角；１２、上櫛溝；１３、下櫛溝；１４、加湿装置；１５、スチーム穴。
【発明を実施するための形態】
【００１９】
以下、図面を参照しながら、本発明の詳細を説明する。
【００２０】
図１の実施形態に示すように、ねじれヘアスタイリング装置は、ヒンジ構造により開閉可能な上部グリップ１と下部グリップ２とを備え、上部グリップ１は上部クランプ３に接続され、下部グリップ２は下部クランプ４に接続され、上部クランプ３には上クランプ面５が設けられ、下部クランプ４には下クランプ面６が設けられ、上クランプ面５と下クランプ面６とは上下対向するように設けられている。前記上クランプ面５は、上部グリップ１に対して上ねじれ角１０を有し、前記下クランプ面６は下部グリップ２に対して下ねじれ角１１を有し、上ねじれ角１０と下ねじれ角１１とが同じであり、クランプ面が張り合わせられることができる。上クランプ面５と下クランプ面６とは、電気制御装置に接続され、電気加熱を実現することができる。発熱効率を確保するために、上クランプ面５が上発熱プレートの発熱面であり、下クランプ面６が下発熱プレートの発熱面である。また、上発熱プレートは、上部グリップ１に対して上ねじれ角を有し、下発熱プレートは、下部グリップ２に対して下ねじれ角を有する。
【００２１】
前記上部クランプ３は、上部グリップ１に対して、前記上ねじれ角を有し、前記下部クランプ４は、下部グリップ２に対して、前記下ねじれ角を有する。上部クランプ３と下部クランプ４との両方に、当該ねじれ角が設けられており、これにより、使用者の操作をより便利且つ省力化することができる。
【００２２】
図２〜図３に示すように、前記上ねじれ角と下ねじれ角とは、６０〜１２０度である。前記上／下ねじれ角の角度は、グリップ部の内側平面およびクランプ面の末端の平面（外側端部）に基づいており、ねじれ軸はグリップ部の長軸と同一である。すなわち、上クランプ面、上部クランプ、および上部グリップは、ねじれ軸がすべて同一軸であり、本実施形態では、上部グリップの長軸が当該同一軸である。また、下クランプ面、下部クランプ、および下部グリップは、ねじれ軸がすべて同一軸であり、本実施形態では、下部グリップの長軸が当該同一軸である。
【００２３】
前記上部クランプ３と上クランプ面５との間に、上断熱層が設けられ、前記下部クランプ４と下クランプ面６との間に下断熱層が設けられている。上断熱層と下断熱層とは、発熱プレートの熱エネルギーが上部クランプ３または下部クランプ４への熱伝達を遮断する役割を果たすため、上部クランプ３と下部クランプ４との表面は、それぞれ、上クランプ面５と下クランプ面６との間に温度差が形成される。上断熱層と下断熱層は、コールドジェルまたは断熱綿である。
【００２４】
図４の第２実施形態に示すように、前記上クランプ面５の外縁部に上歯部８が設けられ、前記下クランプ面６の外縁部に下歯部９が設けられている。上クランプ面５と下クランプ面６とが毛髪をクランプする時、上歯部８と下歯部９とが互いに噛み合っていても、いなくても、毛髪をとかすことができる。なお、当該上歯部８と下歯部９は、１回または２回巻かれて設けても良い。
【００２５】
前記上部クランプ３または下部クランプ４の端部に、補助グリップ７が設けられる。本発明を使用する時、上／下部グリップ２は片手で保持され、他方の手で補助グリップを保持して補助することができる。これによって、安定なグリップ効果を得ることができる。
【００２６】
図５〜６の第３実施形態に示すように、前記上クランプ面の両側縁部に、一体化された上櫛溝１２が設けられ、前記下クランプ面６の両側縁部に、一体化された下櫛溝１３が設けられている。上櫛溝１２と下櫛溝１３との溝間隔は同じであり、上櫛溝１２のノッチと下櫛溝１３のノッチとは、互いに対応するか、または互いにずれた位置関係である。上ノッチと下ノッチとが対応するように設置され、各上ノッチと下ノッチとが一緒になって大きなノッチを形成し、髪が上クランプ面５と下クランプ面６との間に出てきた後、大きなノッチに集中され、梳くした髪はより集中されることができる。また、上下ノッチがずれている場合、上ノッチと下ノッチとは別々に分離されており、髪が上クランプ面５と下クランプ面６との間に出てきた後、上ノッチと下ノッチに集められ、梳くした髪はさらに細分化されることができる。
【００２７】
上部クランプ３内に、加湿装置１４が設けられ、上部クランプ３には、複数のスチーム穴１５が設けられる。スチーム穴１５が上部クランプ３に分布し、スチーム穴１５が上部クランプ３の上表面、上部クランプ３の内部、および上クランプ面５の下表面を貫通する。加湿装置１４は水蒸気を蒸発させ、水蒸気の一部は、スチーム穴１５により、上クランプ面５と下クランプ面６との間に進入し、クランプされた髪を加湿して髪を湿らせ、余分な水蒸気はスチーム穴１５により上部クランプ３の上表面から排出する。
【００２８】
本発明の動作原理は、上部グリップ１と下部グリップ２とを持ち、上部クランプ３と下部クランプ４とを開き、毛髪が上クランプ面５と下クランプ面６との間のクランプ区間に入れた後、ヘアスタイリング装置の電源を入れて（事前に起動することもできる）、上クランプ面５と下クランプ面６とが発熱した後、上クランプ面５と下クランプ面６とを閉じて、まっすぐに引っ張ってカーブヘアスタイルを形成する。なお、本発明では、まっすぐ引っ張っても、ねじれ形状（波形状）のヘアスタイルを形成することができる。
【００２９】
以上、本発明の実施形態を説明したが、記載された実施形態は、本発明を説明するものであり、限定するものではない。なお、本明細書に記載された方法に従って行われるすべての変更または修正は、いずれも本発明特許請求の範囲に含まれる。
【図１】
2020103888.tif 000003
【図２】
2020103888.tif 000004
【図３】
2020103888.tif 000005
【図４】
2020103888.tif 000006
【図５】
2020103888.tif 000007
【図６】
2020103888.tif 000008
【外国語明細書】
2020103888000001.pdf